(57)【要約】【課題】着磁したパチンコ球による球詰まりや球噛みを防止する。【解決手段】供給樋２２のシュート３０と、パチンコ機１１の貯留タンク３２に組み付けられる球送出装置３１との間に脱磁装置４０を設ける。脱磁装置４０は変圧装置５５と接続されており、変圧装置５５からの交流電圧が印可されることで、コイル４６の内部に交番磁界が発生する。シュート３０から球送出装置３１へと案内されるパチンコ球はパイプ４５を通過する過程で交番磁界の影響を受けて脱磁される。【選択図】図２
2008168001.tif 000002
【特許請求の範囲】
【請求項１】
パチンコ球を使用して遊技を行う遊技機に前記パチンコ球を供給する通路、又は前記遊技機から前記パチンコ球を回収する通路のいずれかと連通し、前記パチンコ球を１球づつ通過させる管状体と、
前記管状体の外周面に沿うように巻き付けられた導線からなり、交流電圧が印加されることにより前記管状体の内部に磁界を発生させるコイルと、
熱伝導性を有する材質からなり、前記管状体を保持する保持フレームと、
熱伝導性を有する材質からなり、前記保持フレームを前記遊技機、又は前記遊技機が配設される島のいずれかに固定するブラケットと、を備えたことを特徴とするパチンコ球用脱磁装置。
【請求項２】
前記管状体の両端は、熱伝導性を有する材質から形成された供給管と接続されており、
前記供給管は、その外周面に複数の開口を備えていることを特徴とする請求項１記載のパチンコ球用脱磁装置。
【発明の詳細な説明】
【技術分野】
【０００１】
本発明は、パチンコ機などの遊技機に用いられるパチンコ球の脱磁を行うパチンコ球用脱磁装置に関するものである。
【背景技術】
【０００２】
パチンコ店などの遊技場に配設される遊技機として、スロットマシンやパチンコ機などが挙げられる。このパチンコ機は、パチンコ球と呼ばれる金属の球体をパチンコ機内部に設けられた遊技領域に打ち出すことで遊技が行われる。遊技の際に用いられたパチンコ球は遊技場に配設された回収通路によって回収された後洗浄され、パチンコ球の表面に付着した汚れや油分などが除去される。洗浄されたパチンコ球は、遊技場に配設された供給通路を介して再度パチンコ機の賞球払い出し用の貯留タンクに供給される（特許文献１及び２等）。
【特許文献１】特開２００４−１９５１２７号公報
【特許文献２】特開２００４−８１５７１号公報
【発明の開示】
【発明が解決しようとする課題】
【０００３】
このように、回収されたパチンコ球は洗浄されることで表面に付着した汚れや油分などが除去されるが、パチンコ機に供給されたパチンコ球は、組み付けられたスピーカーの永久磁石や、他の電気部品などの影響により着磁してしまう、又は遊技領域に設けられる障害釘などからの静電気を受けて着磁してしまうことが多く、回収される過程や供給される過程でパチンコ球同士が吸着し合い、球詰まりや球噛みなどの原因となりやすい。
【０００４】
本発明は、上記課題を解決するためになされたものであり、着磁したパチンコ球による球詰まりや球噛みを防止することができるようにしたパチンコ球用脱磁装置を提供することを目的とする。
【課題を解決するための手段】
【０００５】
上記目的を達成するために、本発明のパチンコ球用脱磁装置は、パチンコ球を使用して遊技を行う遊技機に前記パチンコ球を供給する通路、又は前記遊技機から前記パチンコ球を回収する通路のいずれかと連通し、前記パチンコ球を１球づつ通過させる管状体と、前記管状体の外周面に沿うように巻き付けられた導線からなり、交流電圧が印加されることにより前記管状体の内部に磁界を発生させるコイルと、熱伝導性を有する材質からなり、前記管状体を保持する保持フレームと、熱伝導性を有する材質からなり、前記保持フレームを前記遊技機、又は前記遊技機が配設される島に固定するブラケットと、を備えたことを特徴とする。
【０００６】
また、前記管状体の両端は、熱伝導性を有する材質から形成された供給管と接続されており、前記供給管は、その外周面に複数の開口を備えていることを特徴とする。
【発明の効果】
【０００７】
本発明のパチンコ球用脱磁装置によれば、コイルに交流電圧を印可することで発生する交番磁界はコイルの中心が強く、コイルの中心から離れるにしたがって磁界の強さが減衰していくので、着磁されたパチンコ球が管状体を通過すると、着磁されたパチンコ球の磁力が徐々に減衰していき、最終的にパチンコ球が脱磁される。これにより、パチンコ球を遊技機に供給する通路にパチンコ球用脱磁装置を設けた場合には、遊技機に供給する直前で脱磁されることになり、遊技機の内部に設けられた通路内での球詰まりや球噛みを防止することができる。また、遊技機から回収する通路にパチンコ球用脱磁装置を設けた場合には、パチンコ球を洗浄する過程で、研磨剤等の粉塵や水分などの付着を防止することができるとともに、回収される過程や洗浄する過程での球詰まりを防止することができる。また、保持フレームとブラケットとを熱伝導性を有する材質とすることで、コイルの熱を効率良く放散させることができ、コイルが高温になることでの発火を防止することができる。
【０００８】
また、供給管を熱伝導性を有する材質から形成することで、交流電圧が印加されるコイルの熱を供給管に伝導させ、コイルの熱を効率良く放散させることができる。また、供給管に複数の開口が設けられていることにより、表面に水分が残留していたパチンコ球が管状体を通過するときに蒸発する水分を、供給管の外部に放出させることができる。
【発明を実施するための最良の形態】
【０００９】
図１に示すように、遊技場に設けられる島１０には、複数台のパチンコ機１１が正面を向いた状態で横一列に並べられた状態で配設される。これらパチンコ機１１には、それぞれ台番号Ａ〜Ｅが付与されており、この台番号Ａ〜Ｅによって各々のパチンコ機１１が識別される。
【００１０】
この島１０には、パチンコ機１１が複数配設される他、球揚送装置２０、球補給装置２１、供給樋２２、回収樋２３等が配設されている。球揚送装置２０は、回収されたパチンコ球８０（図４参照）を洗浄した後、或いは洗浄しながら上方に設けられた球補給装置２１に揚送する。なお、パチンコ球８０を洗浄する方法としては、例えば布ベルトなどを使用したコンベヤを並列配置し、これらコンベヤの間にパチンコ球８０を挟んで上方に移動させ、その移動の際に該パチンコ球８０をコンベヤの摩擦で擦ってパチンコ球８０から汚れを拭き取る、又はパチンコ球８０を合成樹脂材からなる研磨ペレットで研磨することで汚れを除去する等の乾式の洗浄方法の他に、研磨ペレット及び洗剤を用いてパチンコ球８０の表面の汚れを除去する湿式の洗浄方法が挙げられる。
【００１１】
球補給装置２１は、球揚送装置２０によって揚送されたパチンコ球８０を貯留し、貯留されたパチンコ球８０を供給樋２２に送り出す装置である。供給樋２２は、球補給装置２１に貯留された洗浄済みのパチンコ球８０を島１０に配設されたパチンコ機１１に供給するために設けられている。また、回収樋２３は、パチンコ機１１での遊技で使用されたパチンコ球８０を回収し、球揚送装置２０に向けて案内する。
【００１２】
図２乃至図４に示すように、供給樋２２には、島１０に設置されるパチンコ機１１の台数に合わせた複数のシュート３０が所定間隔を空けて設けられている。このシュート３０によって供給樋２２を案内されるパチンコ球８０は、キャリーと呼ばれる球送出装置３１を介してパチンコ機１１に背面に設けられた貯留タンク３２に供給される。パチンコ機１１の貯留タンク３２の内部には、パチンコ球８０の有無を検知するパチンコ球検知スイッチ３３が設けられており、このパチンコ球検知スイッチ３３からのオフ信号が、パチンコ機１１に設けられた遊技制御装置３４を介して島制御装置３５に出力されると、球送出装置３１が作動してパチンコ機１１の貯留タンク３２にパチンコ球８０を送り出す。なお、球送出装置３１は貯留タンク３２の上部に組み付けられる。
【００１３】
シュート３０と球送出装置３１との間には、フレキシブルパイプ３６，３７、放熱パイプ（供給管）３８，３９、及び脱磁装置４０が配設されており、これら部材によってシュート３０と球送出装置３１との間の案内通路が形成される。
【００１４】
フレキシブルパイプ３６，３７は、例えば断熱性を有する材質から形成されている。これらフレキシブルパイプ３６，３７としては、棒体を螺旋状に巻き付けることで形成されるパイプの他に、外周面に波付加工を施したパイプが用いられる。フレキシブルパイプを用いることで、脱磁装置４０の組付位置が異なる場合であっても、フレキシブルパイプを曲げるだけで容易に脱磁装置４０に放熱パイプ３８，３９を組み付けることができ、また、これらフレキシブルパイプ３６，３７の内部でパチンコ球８０の球詰まりの発生を防止することができる。
【００１５】
放熱パイプ３８，３９は、熱伝導性を有する材質から形成されている。この熱伝導性を有する材質としては、例えばアルミニウムなどの熱伝導率の高い材質が用いられる。これら放熱パイプ３８，３９は、円管状から構成され、その外周面に複数の放熱孔３８ａ，３９ａがそれぞれ設けられている。これら放熱孔３８ａ，３９ａは、交流電圧を印加された脱磁装置４０のコイル４６の熱によって温度が上昇した空気を放熱パイプ３８，３９の外部に放出する他に、パチンコ球８０の表面に残留する水分が蒸発したときに、蒸発した水分を外部に放出する。なお、放熱パイプ３８，３９の材質として、アルミニウムを取り上げているが、これに限定されるものではなく、アルミニウムと同等の熱伝導性能を有する材質を用いることも可能である。
【００１６】
脱磁装置４０は、パイプ（管状体）４５、コイル４６、フレーム（保持フレーム）４７及びブラケット４８とから構成されている。パイプ４５は例えば真鍮などの金属から形成され、その外径が放熱パイプ３８，３９の内径よりも小さい円管状から構成されている。また、このパイプ４５の内径は、パチンコ球８０の直径よりも大きく、パチンコ球８０の直径の２倍よりも小さくなるように設定されている。これにより、パチンコ球８０は１列に並んだ状態でパイプ４５を通過する。また、パイプ４５の軸方向の両端部には段差面４５ａ、４５ｂが設けられている。なお、パイプ４５としては、放熱パイプ３８が組み付けられる一端部の内径が他の箇所の内径よりも大きいパイプを用いることも可能である。この場合、パチンコ球８０を１個ずつ確実に通過させることができる。
【００１７】
コイル４６は、パイプ４５の軸方向の略中央に設けられている。このコイル４６は、パイプ４５に固定されるボビン５０に、導線を例えば３０００回巻き付けることで形成される。コイル４６としてボビン５０に巻き付けられた導線の両端は、変圧装置５５に接続される。変圧装置５５は１００Ｖの交流電圧を２４Ｖの交流電圧に変圧するために設けられている。この変圧装置５５によって、コイル４６には２４Vの交流電圧が印加され、コイル４６の表面温度が約８０°位まで上昇する。なお、符号５６は、コイル４６の外周を被覆する絶縁体である。本実施形態では、パイプに固定されるボビンに導線を巻き付けることでコイルを形成しているが、これに限定する必要はなく、導線をパイプに直接巻き付けることでコイルを形成することも可能である。
【００１８】
フレーム４７は、対向する一対の側面が開口された枠形状からなる。このフレーム４７は、フレーム本体６０と固定板６１とからなり、これら部材は熱伝導性を有する材質から形成されている。フレーム本体６０の中央と固定板６１とは互いに対向しており、フレーム本体６０の中央と固定板６１とには、同軸となる挿通孔６２，６３がそれぞれ設けられている。これら挿通孔６２，６３のうち、挿通孔６２にはパイプ４５の一端部が挿通され、挿通孔６３にはパイプ４５の他端部が挿通される。挿通孔６２にパイプ４５の一端部が挿通されると、フレーム本体６０の面６０ａにパイプ４５の段差面４５ａが当接される。また、挿通孔６３にパイプ４５の他端部が挿通されると、固定板６１の面６１ａにパイプ４５の段差面４５ｂが当接される。これにより、フレーム４７にパイプ４５を組み付けたときには、フレーム４７に対するパイプ４５の位置ズレやパイプ４５の脱落を防止することができる。
【００１９】
ブラケット４８は、矩形板の長手方向の一端を直角に折り曲げた形状からなる。このプラケット４８は、熱伝導性を有する材質から形成されている。この熱伝導性を有する材質として、例えばアルミニウムなどの熱伝導率の高い材質が用いられる。このブラケット４８の短片４８ａには挿通孔７０が形成されており、この挿通孔７０に挿通されたネジ７１が島１０に設けられたネジ穴７２に螺合されることで、ブラケット４８が島１０に固定される。また、ブラケット４８の長片４８ｂには、その長手方向に延びる長孔７５，７６が平行に設けられている。これら長孔７５，７６にはネジ７７が挿通された後、フレーム本体６０のネジ孔６０ｃに螺合される。ブラケット４８の長片４８ｂに長孔７５，７６を設けることで、フレーム４７の位置がＳ方向或いはＴ方向にずれていた場合であっても確実にフレーム４７をブラケット４８に固定することができる。なお、ブラケット４８の材質として、アルミニウムを取り上げているが、これに限定されるものではなく、アルミニウムと同等の熱伝導性能を有する材質を用いることも可能である。
【００２０】
このような脱磁装置４０と変圧装置５５とを接続すると、２４Ｖに変圧された交流電圧が脱磁装置４０のコイル４６に印加される。２４Ｖの交流電圧が印加されることで、コイル４６の内部には交番磁界が発生する。この交番磁界は、コイル４６の中心で磁界の強さが最大となり、コイル４５の中心から遠ざかるほど磁界の強さは小さくなる。また、交番磁界は、磁界の方向が時間とともに変化することから、パイプ４５の内部を落下するパチンコ球８０がコイル４６の中心から離れることで脱磁（消磁）される。これにより、シュート３０から球送出装置３１に向けて案内されるパチンコ球８０は、パチンコ機１１の貯留タンク３２に貯留される直前で脱磁されるので、パチンコ機１１の内部で球詰まりや球噛みの発生を抑止することができる。
【００２１】
また、コイル４６への給電によりコイル４６が発熱するので、パイプ４５の内部の温度が上昇する。例えばパイプ４５を通過するパチンコ球８０の表面に水分が付着している場合には、パイプ４５の内部の温度が高いことから、表面に付着した水分を蒸発させることができる。なお、蒸発した水分は、放熱パイプ３８，３９に設けられた放熱孔３８ａ，３９ａから外部に放出される。また、給電されるコイル４６の熱は、フレーム４７やブラケット４８に伝導される。フレーム４７やブラケット４８は、外気に触れていることから、コイル４６の熱を放散する面積を増やすことで、コイル４６の熱を効率良く放散させることができる。
【００２２】
本実施形態では、ブラケット４８をネジ７１を用いて島１０に取り付けるとしか記載していないが、ブラケットを直接島１０に固定する場合には、島１０に設けられたネジ穴７２や、その周縁部に断熱処理を施すことがよい。また、ブラケット４８を取り付けるための取付板が島１０に設けられている場合には、取付板の表面に断熱処理を施す、或いは断熱性を有する材質から取付板を形成することが考えられる。つまり、パチンコ機が配設される島には、パチンコ機の他に、他の機器が配設されることから、上述したように、ブラケットを取り付ける場所を断熱処理する、或いは取り付ける部材を断熱性を有する材質とすることで、他の機器にコイルから伝導される熱の影響を受けないようにする。
【００２３】
また、この他に、ブラケットを取り付ける取付板に熱伝導率を有する材質を用いることも可能である。この場合、取付板を複数個のブラケットを固定できるようにしておけば、外気に触れる面積が増えることになり、コイルの熱を効率良く放散させることができる。例えば複数のパチンコ機が背面を互いに向き合わせて配設されている場合には、パチンコ機とパチンコ機との間の空間など、パチンコ機や島に配設される他の機器のメンテナンス作業が行われない場所に取付板を配設することが好ましい。また、このような場合には、ブラケットやフレームの表面を耐熱性を有する材質によって被覆する、或いは、ブラケットやフレームを断熱性を有する材質から形成されたケースに収納することで、メンテナンス作業中に火傷をしないように安全対策を施すようにしてもよい。
【００２４】
本実施形態では、フレーム４７やブラケット４８を、熱伝導性を有する材質とすることで、コイルの熱が伝導される部材を多くし、コイルの熱を効率良く放散させるようにしているが、この他に、フレーム４７やブラケット４８に放熱用のヒートシンクを組み付けたり、ブラケット４８の表面に凹凸を設け、ブラケット４８をヒートシンクとして兼用することも可能である。さらに、冷却ファンを設けて、フレーム４７やブラケット４８を積極的に冷却することも可能である。
【００２５】
本実施形態では、脱磁装置４０を供給樋２２のシュート３０とパチンコ球８０の貯留タンク３２との間に設けたが、これに限定する必要はなく、例えば回収樋２３と球揚送装置２０との間に設けることも可能である。球揚送装置２０では、回収されたパチンコ球８０の洗浄を行うことから、その直前でパチンコ球８０の脱磁処理を行うことで、例えば研磨剤を用いて洗浄を行う場合には、研磨剤などの粉塵がパチンコ球８０の表面に付着することを防止することができる。
【００２６】
本実施形態では、フレーム４７を固定するブラケット４８を島に取り付けた形態としているが、これに限定される必要はなく、例えばパチンコ機を島に配設する際に用いられる固定枠にブラケット４８を取り付けることも可能である。
【図面の簡単な説明】
【００２７】
【図１】島の構成の一例を示す斜視図である。
【図２】供給樋及びパチンコ機の貯留タンク近傍の構成を分解して示す斜視図である。
【図３】脱磁装置の近傍の構成を示す斜視図である。
【図４】脱磁装置の構成を示す断面図である。
【符号の説明】
【００２８】
１１  パチンコ機（遊技機）
２２  供給樋
３６，３７  フレキシブルパイプ
３８，３９  放熱パイプ（供給管）
４０  脱磁装置
４５  パイプ（管状体）
４６  コイル
４７  フレーム（保持フレーム）
４８  ブラケット
【図１】
2008168001.tif 000003
【図２】
2008168001.tif 000004
【図３】
2008168001.tif 000005
【図４】
2008168001.tif 000006